(57)【要約】      （修正有）【課題】乳房細胞が活性化し、女性ホルモン吸収を誘導できるブラジャーを提供する。【解決手段】このブラジャーは、ブラジャー本体の各カップに備えられた袋の中に、特定種類の定量の鉱物質と比例定量のパラフィン油の混合物であって、乳房細胞を活性化させるエネルギーを有するものを充填して構成されている。【効果】混合物のイオン作用により、疎水性炭素鎖が二重のリン脂肪質の乳房細胞膜を開ける伝送蛋白に生成され、乳房細胞膜を膨張させるほか、混合物の成分の効果で乳房細胞膜の内外薄膜の間にも侵入し易くさせる侵入圧力を向上させる効果がある。従って、乳房が豊かになる。【選択図】図３
0003104286.tif 000002
【実用新案登録請求の範囲】
【請求項１】
ブラジャー本体の各カップに備えられた袋の中に、特定種類の定量の鉱物質及びこれと比例する定量のパラフィン油の混合物であって、乳房細胞を活性化させるエネルギーを有するものを充填してなることを特徴とするブラジャー。
【請求項２】
ブラジャー本体の各カップに備えられた袋の中に、特定種類の定量の鉱物質及びこれと比例する定量の塩化物から構成した粒子の混合物であって、乳房細胞を活性化させるエネルギーを有するものを充填してなることを特徴とするブラジャー。
【請求項３】
請求項２記載のブラジャーにおいて、袋の中に充填される混合物の特性、成分及び配合率が次の通りであることを特徴とするブラジャー。
ＰＨ値：  ９．５〜１０
導電率：  ６．５＊１０-   〜３Ｓ  
シリコン（Ｓｉ）      ０．０３％
ナトリウム（Ｎａ）    ０．２  ％
アルミニウム（Ａｌ）  ０．１ｐｐｍ以下
チタン（Ｔｉ）        ０．１ｐｐｍ
カルシウム（Ｃａ）    ０．８ｐｐｍ
硫黄（Ｓ）            ４３  ｐｐｍ  
カリウム（Ｋ）        ４５  ｐｐｍ
リン（Ｐ）            １．５ｐｐｍ
鉄（Ｆｅ）            ０．１ｐｐｍ
セレン（Ｓｅ）        ０．１ｐｐｍ
マグネシウム（Ｍｇ）  ０．７ｐｐｍ
塩化物                ２１  ｐｐｍ  
残部    純水
【考案の詳細な説明】
【技術分野】
【０００１】
本考案は、乳房の細胞を活性化できる新規なブラジャーに関する。
【背景技術】
【０００２】
天が創造した女性の体は、男性の体より美しい。正常に発育した女性ならば、起伏のある胸の曲線を見るだけで、女性のほかの特徴を見なくても、成人女性の成熟体格の優雅な味わいが感じられる。美しいものを愛するのは女性の天性だから、女性は発育中に自分の乳房に関心を持たないはずはない。しかし、女性毎の発育はすべて同じではない。生まれつきの遺伝要因が乳房の成長に影響することもあるし、発育期間中に、良好な栄養を摂取することを無視ないし軽視するということもある。その結果、乳房が発育不良となる。乳房が発育不良であると、着衣状態であっても、他人が見ると胸の平坦さが判るので、美体の魅力が大きく減る。一番心配されるのは、乳房の発育不良の場合に、乳腺の機能が影響されるかどうか、将来、幼児に乳を飲ませることができるかどうか分からないということである。そういう訳であるから、自身の乳房が小さ過ぎたり、生理発育も遅すぎたりする場合に、適齢の女性又はその家族はいつも様々なやり方で、美しい豊胸の夢を実現したいと願望している。
【特許文献１】特になし。
【考案の開示】
【考案が解決しようとする課題】
【０００３】
従来の豊胸の方法は、注射、手術によるものであった。しかし、これらはいずれも危険性が高いし、副作用、持久性が悪いせいで、積極的に採用する人は少なかった。それ以外の豊胸の方法には、食物補給も採用されており、マーケットで販売される豊胸用食品が多い。通常、栄養素、女性ホルモンの補充が採用される。それら栄養素や女性ホルモンを摂取した後、吸収して利用される又は発育する体の部位は、個人の体質によって異なる。胸部まで至るかどうか、乳房の組織の成長を促進するかどうかは、確実ではないので、豊胸の効果は顕着ではない。
【０００４】
現今、豊胸目的の物理保健方法又は器材もある。例えば、豊胸のための乳ゼリー、乳液を胸部に塗って按摩したり、又は旧式の真空吸引もしくは低周波で電気的刺激を与える用品などが挙げられる。残念ながら、それらは根本的に言えば、効果がない又は効果が証明できない。ひどいのになると、いつも乳房に傷害を与えるという逆効果を招くものがある。概して、それらの方法は、日常生活において毎日、ある一定の時間を胸部の手入れに時間を費やさなければならないので、利用者にとって不便である。
【０００５】
上記従来の効果が不確実な豊胸方法を調べて見ると、豊胸は期待できないものとは断言できない。根源を極めると、次の二つの条件を満足すれば、可能だと思われる。すなわち、
（ア）女性ホルモンを正しく使う。
図１は、女性の乳胸組織の断面図である。女性の胸部には、脂肪組織の他、１５〜２０個の乳房葉１０がある。つまり、脂肪の堆積以外、乳房の活性化もとても大切であることが分かる。前述したとおり、従来方法による女性ホルモンの補充によれば、通常、女性に本当に吸収できない（キーポイントは乳房葉の部分である。）。女性ホルモンの正しい使用には、使用量と人体への影響及び女性ホルモン吸収の誘導を考えなければならない。
（イ）物理学の手伝い：
上記の乳ゼリー、乳液を胸部に塗って按摩する豊胸方法、又は旧式の真空吸引又は低周波電撃による豊胸方法は、すべて物理的方法により女性の乳房の発育を促進する。しかしながら、それらは胸の表面皮膚の摩擦又は強力な吸引を用いるので、胸部の表層肌、皮膚を刺激させ、傷めるのみで、胸の深層の乳房葉が依然として十分に活性化されないので、豊胸の効果が期待できない。これに対して、自然特性の細胞物理学原理に適合する革新的な方法を採用すれば、胸の内から外まで、胸の乳房葉を自然に活性化させ、開放させながら正確に女性ホルモンを補充すれば、皮膚や肉体を痛めることなく、速やかに豊胸の効果が得られることは明らかである。
【０００６】
したがって、本考案の目的は、乳房の細胞を活性化し、女性ホルモン吸収を誘導できるブラジャーを提供することにある。
【課題を解決するための手段】
【０００７】
本考案の請求項１のブラジャーは、ブラジャー本体の各カップに備えられた袋の中に、特定種類の定量の鉱物質及びこれと比例する定量のパラフィン油の混合物であって、乳房細胞を活性化させるエネルギーを有するものを充填してなることを特徴としている。
【０００８】
本考案の請求項２のブラジャーは、ブラジャー本体の各カップに備えられた袋の中に、特定種類の定量の鉱物質及びこれと比例する定量の塩化物から構成した粒子の混合物であって、乳房細胞を活性化させるエネルギーを有するものを充填してなることを特徴としている。
【０００９】
請求項２記載のブラジャーは、袋の中に充填される混合物の特性、成分及び配合率が次の通りであることが望ましい。
ＰＨ値：  ９．５−１０
導電率：  ６．５＊１０-   −３Ｓ  
シリコン（Ｓｉ）      ０．０３％
ナトリウム（Ｎａ）    ０．２％
アルミニウム（Ａｌ）  ０．１ｐｐｍ以下
チタン（Ｔｉ）        ０．１ｐｐｍ
カルシウム（Ｃａ）    ０．８ｐｐｍ
硫黄（Ｓ）            ４３  ｐｐｍ  
カリウム（Ｋ）        ４５  ｐｐｍ
リン（Ｐ）            １．５ｐｐｍ
鉄（Ｆｅ）            ０．１ｐｐｍ
セレン（Ｓｅ）        ０．１ｐｐｍ
マグネシウム（Ｍｇ）  ０．７ｐｐｍ
塩化物                ２１  ｐｐｍ  
残部    純水
【考案の効果】
【００１０】
本考案の請求項１に係るブラジャーは、主に、ブラジャー本体及びカップの間隔層毎に挟まれる袋から構成され、その袋の中に特定種類の定量の鉱物質及びこれに比例する定量のパラフィン油の混合物が充填されている。ブラジャーの布は、断熱作用は有するが、鉱物のエネルギー発散を遮断する物質ではない。ゆえに、このブラジャーを身に付けると、袋の中の特定調製された鉱物質のイオン作用により、疎水性炭素鎖が二重のリン脂肪質の乳房細胞膜を開ける伝送蛋白（membrane transport proteins ）に生成され、乳房細胞膜が膨張するほか、袋の中の液体成分の効果で、乳房細胞膜の内外薄膜の間にも侵入し易くする侵入圧力（osmotic pressure）を向上させる効果が得られる。よって、利用者自身から出てくる又は補充服用される女性ホルモンは一層容易に乳房細胞膜に誘導され吸入される。乳房細胞の深層へ伝送され、吸入されたら、ある時間を経て平衡状態が形成されたあとで、乳房細胞を増加させ、胸を豊かにするという効果が得られる。
【００１１】
この考案のブラジャーは、上記のような革新的な構造により、自然特性の細胞物理学原理に合致し、皮膚や肉体を痛めることなく、速やかに豊胸の効果をもたらすことができる。
【００１２】
本考案によれば、豊胸誘導用の微エネルギーを有する混合物がブラジャーのカップに封じ込められるので、女性がそれを着ると、日常活動において同時に豊胸誘導エネルギーを受けることができる。従って、胸が自然に変化して漸次突き出してくる。つまり、毎日、日常生活中のある時間を胸部の手入れに消費しなくてもよいので、利用者にとって便利である。
【考案を実施するための最良の形態】
【００１３】
本案の構造、応用原理、作用および効果などを、さらに具体的な実施例に基づいて詳しく説明する。
【００１４】
図２は、本考案に係る乳房細胞を活性化、誘導できるブラジャーの一部断面正面図であり、図３は本考案により、乳房の細胞が活性化、誘導できるブラジャーのカップ構造の断面図である。それらの図面を見ると分かるように、乳房細胞の活性化、誘導かできるブラジャーは、主に、ブラジャー本体２０と、ブラジャー本体２０の各カップ２１の間隔層毎に挟まれる袋３０から構成される。特に、その袋３０の中に充填する流体は、純水に特定種類の定量の鉱物質及びこれに比例する定量の塩化物の混合物である。
【００１５】
この混合物の特性、成分及びベストな配合量は、次の通りである。
ＰＨ値：  ９．５〜１０
導電率：  ６．５＊１０-   〜３Ｓ  
シリコン（Ｓｉ）      ０．０３％
ナトリウム（Ｎａ）    ０．２％
アルミニウム（Ａｌ）  ０．１ｐｐｍ以下
チタン（Ｔｉ）        ０．１ｐｐｍ
カルシウム（Ｃａ）    ０．８ｐｐｍ
硫黄（Ｓ）            ４３  ｐｐｍ  
カリウム（Ｋ）        ４５  ｐｐｍ
リン（Ｐ）            １．５ｐｐｍ
鉄（Ｆｅ）            ０．１ｐｐｍ
セレン（Ｓｅ）        ０．１ｐｐｍ
マグネシウム（Ｍｇ）  ０．７ｐｐｍ
塩化物                ２１  ｐｐｍ  
残部    純水
【００１６】
その他、図面に示すように、袋３０の中に充填する流体３１は、豊胸用微エネルギーを有する同効果の粒子３２を採用しても良い。粒子３２の成分は上述のとおりであるが、純水を含めなくて、固体粒子のエネルギーとして実施される。
次に、本考案のカップ２１の中における袋３０の内容物が乳房細胞の活性化を誘導する効果を調べて見る。図４は、大江興業株式会社の試験室において、細胞試験開始より０分間経過後の乳房細胞の顕微鏡写真のコピーである。図面の円形フレームの中に矢印で示すのは細胞の箇所である。続いて、図５は、同細胞試験開始より５分間経過後の乳房細胞の顕微鏡写真のコピーである。図６は、同じく、８分間経過後の顕微鏡写真のコピーである。図７は、同じく、１０分間経過後の顕微鏡写真のコピーである。図８は、同じく、１５分間経過後の顕微鏡写真のコピーである。図９は、同じく１８分間経過後の顕微鏡写真のコピーである。これらの写真を観察すると、確かに、本考案のブラジャーには、細胞膜の膨張を誘導する作用があるとが良く分かる。
【００１７】
ブラジャーのカップに封じる豊胸促進用微エネルギーは、特に工夫して調製された分量、成分により発生される。また、台湾の経済部標準検査局、工業技術研究院の化学工業所、昭信科学技術コンサルタント株式会社による各種成分分析及び毒性分析の報告書によれば、使用した場合の安全性が確認された。ブラジャーの混合液使用量の最大制限値は、平均して女性が毎日連続して長時間に着た場合に受ける量の以下に設定されるので、過量にならず、安心して使用できる。
【図面の簡単な説明】
【００１８】
【図１】女性の乳房組織の断面図。
【図２】本案によるブラジャーの斜視図。
【図３】本案によるブラジャーのカップの断面図。
【図４】大江興業株式会社による細胞試験開始より０分間経過後の乳房細胞の顕微鏡写真のコピー。
【図５】同細胞試験開始より５分間経過後の乳房細胞の顕微鏡写真のコピー。
【図６】同細胞試験開始より８経過後の乳房細胞の顕微鏡写真のコピー。
【図７】同細胞試験開始より１０経過後の乳房細胞の顕微鏡写真のコピー。
【図８】同細胞試験開始より１５経過後の乳房細胞の顕微鏡写真のコピー。
【図９】同細胞試験開始より１８経過後の乳房細胞の顕微鏡写真のコピー。
【符号の説明】
【００１９】
１０    乳房葉
２０    ブラジャー本体
２１    カップ
３０    袋
３１    流体
３２    粒子
【図１】
0003104286.tif 000003
【図２】
0003104286.tif 000004
【図３】
0003104286.tif 000005
【図４】
0003104286.tif 000006
【図５】
0003104286.tif 000007
【図６】
0003104286.tif 000008
【図７】
0003104286.tif 000009
【図８】
0003104286.tif 000010
【図９】
0003104286.tif 000011